(57)【要約】【課題】替刃を安全かつ簡便にカートリッジに装填できる替刃収納ケースを提案する。【解決手段】替刃ｃを収納する内部空間を区画形成するケース本体１と、このケース本体１の口部に着脱自在に嵌合保持され前記内部空間を密閉する蓋体２とを備えたカッターナイフの替刃収納ケースにおいて、前記ケース本体１の内部空間内に、収納にかかる替刃ｃの先端に当接して該替刃の収納姿勢を決定するストッパー３と、該内部空間につながり替刃保持用カートリッジ５の先端ガイド5aを入れ込む格納室４を設ける。【選択図】図１
2006288788.tif 000002
【特許請求の範囲】
【請求項１】
替刃を収納する内部空間を区画形成するケース本体と、このケース本体の口部に着脱自在に嵌合保持され前記内部空間を密閉する蓋体とを備えたカッターナイフの替刃収納ケースであって、
前記ケース本体の内部空間内に、収納にかかる替刃の先端に当接して該替刃の収納姿勢を決定するストッパーと、該内部空間につながり替刃保持用カートリッジの先端ガイドを入れ込む格納室を設けたことを特徴とするカッターナイフの替刃収納ケース。
【請求項２】
替刃を収納する内部空間を区画形成するケース本体と、このケース本体の口部に着脱自在に嵌合保持され前記内部空間を密閉する蓋体とを備えたカッターナイフの替刃収納ケースであって、
前記ケース本体の底壁に、替刃保持用カートリッジの先端ガイドを通す開口を形成したことを特徴とするカッターナイフの替刃収納ケース。
【請求項３】
ケース本体の側壁に、収納にかかる替刃の側面に当接して内部空間内における替刃の収納姿勢を保持する少なくとも1つの舌片を設けた、請求項１又は２記載のカッターナイフの替刃収納ケース。
【請求項４】
前記蓋体は、その内部に、収納にかかる替刃の後端に当接して該替刃の収納姿勢を決定するストッパーを有する、請求項１〜３の何れかに記載のカッターナイフの替刃収納ケース。
【発明の詳細な説明】
【技術分野】
【０００１】
本発明は、カッターナイフの替刃収納ケースに関するものであり、替刃に触れることなしに簡便かつ迅速にカッターナイフのカートリッジに装填しようとするものである。
【背景技術】
【０００２】
替刃式のカッターナイフは、複数枚の新しい刃を一度に収納しておくことができるカートリッジが組み込まれており、これにより迅速で簡便に刃の交換ができるようになっている（例えば特許文献1参照）。
【特許文献１】実公昭57−51010号公報
【０００３】
ところで、カートリッジへの替刃の装填は、普通、指で把持して一枚ずつ入れ込んでいるところ、替刃に予め塗布してある防錆油が指に付着するので不快感を与えるとともに、結果的に防錆油が拭き取られてしまうことになることから替刃が錆びやすくなる不具合があった。
【０００４】
また、替刃の装填は、素手でカートリッジに入れ込んでいく作業になるので、不注意な取り扱いをした場合には危険を伴う。
【０００５】
この点に関する先行技術としては、複数枚の替刃をミシン目を有するフィルム部材で被覆した構造になるカッターナイフ用替刃が知られている（例えば特許文献２参照）。
【特許文献２】特開平7−328245号公報
【０００６】
しかしながら、上記の替刃は、カートリッジの装填後に、替刃を被覆しているフィルム部材をミシン目に沿って開封する段階的な手順で除去しなければならず、装填作業が煩雑であり、未だ多少の改善の余地が残されていた。
【発明の開示】
【発明が解決しようとする課題】
【０００７】
本発明の課題は、手や指に直接触れることなく、安全でかつ、簡便に替刃をカートリッジに装填できる新規なカッターナイフの替刃収納ケースを提案するところにある。
【課題を解決するための手段】
【０００８】
本発明は、替刃を収納する内部空間を区画形成するケース本体と、このケース本体の口部に着脱自在に嵌合保持され前記内部空間を密閉する蓋体とを備えたカッターナイフの替刃収納ケースであって、
前記ケース本体の内部空間内に、収納にかかる替刃の先端に当接して該替刃の収納姿勢を決定するストッパーと、該内部空間につながり替刃保持用カートリッジの先端ガイドを入れ込む格納室を設けたことを特徴とするカッターナイフの替刃収納ケースである。
【０００９】
また、本発明は、替刃を収納する内部空間を区画形成するケース本体と、このケース本体の口部に着脱自在に嵌合保持され前記内部空間を密閉する蓋体とを備えたカッターナイフの替刃収納ケースであって、
前記ケース本体の底壁に、替刃保持用カートリッジの先端ガイドを通す開口を形成したことを特徴とするカッターナイフの替刃収納ケースである。
【００１０】
上記の構成になる替刃収納ケースは、ケース本体の側壁に、収納にかかる替刃の側面に当接して内部空間内における替刃の収納姿勢を保持する少なくとも1つの舌片を設けることが可能であり、また、蓋体の内部には、収納に係る替刃の後端に当接して該替刃の収納姿勢を決定するストッパーを設けることができる。
【発明の効果】
【００１１】
カートリッジを替刃収納ケースの中へ差し込むだけでケース内に収納されている替刃がカートリッジに装填される。
【００１２】
以下、図面を用いて本発明をより具体的に説明する。
図１は本発明にしたがう替刃収納ケースの外観斜視図であり、図２は蓋体を取り外してケース本体の内部空間にカートリッジを差し込む寸前の状態を示した図であり、図３はケースの側面を断面で示した図である。
【００１３】
図における１は替刃を収納する内部空間を区画形成するケース本体、２はケース本体１の口部に着脱自在に嵌合保持されケース本体１の内部空間を密閉する蓋体、３はケース本体１の外表面に凹部1aを一体的に形成して内部空間において突出するストッパーである。このストッパー３はその先端に替刃ｃの先端傾斜に適合する傾斜3aを有しており（図３、４参照）、収納にかかる替刃ｃの先端と当接することで該替刃ｃの収納姿勢を決定する。また、４は内部空間につながり替刃保持用カートリッジ５の先端ガイド5aを入れ込む格納室である。
【００１４】
カッターナイフの替刃ｃをカートリッジ５に装填するには、蓋体２をまず取り外し、替刃ｃがレールLに沿うようにカートリッジ５をケース本体1の内部空間へと差し込む（図２参照）。
【００１５】
カートリッジ５の先端ガイド5aが格納室４に到達する図４に示すような差込み状態になると、替刃ｃの開口ｃ１はカートリッジ５に設けられた弾性爪5bに係止されることとなり、これにより替刃ｃのカートリッジ５への装填が完了する。
【００１６】
本発明にしたがう替刃収納ケースは、紙、金属あるいは木等にて構成することができるが、合成樹脂をブロー成型したものがより有利に適合する。
【００１７】
替刃収納ケースを合成樹脂のブロー成型品として用いる場合、該ケースは容易に変形させることができるので、ケース内に収めた替刃ｃをケースの外側からまとめて押さえ込むことが可能でカートリッジ５への装填作業がより簡便になり、把持力を取り除くとケースはすぐさまもとの形に復元するのでケースの見栄えを損なうこともない。
【００１８】
ストッパー３は、図５に示すようにケース本体１の側壁に局所的に設けてもよく、図６に示すようにケース本体１とほぼ同じ厚さをもたせてもよい。
【００１９】
また、図７に示すようにケース本体１の底壁に開口６を設け、カートリッジ５に替刃ｃを装填する際、該カートリッジ５の先端ガイド5ａを開口６に通してケース本体１の外側へ露出させることでケース本体１の底壁をストッパー３として機能させることが可能で、この場合、格納室４が不要になるので、ケース本体１の寸法を短くすることができ、収納ケースのコンパクト化が可能となる。
【００２０】
さらに、図８はケース本体１の側壁の少なくとも一方に、スリットsによって区画された弾性舌片７を設けた構造のものである。弾性舌片７を設けることで替刃ｃをケース内で弾性支持することが可能となり、替刃ｃのガタツキを回避することができる。
【００２１】
ストッパー３はケース本体１に設けた例を示したが、かかるストッパー３は図９に示すように蓋体２にも設けることができる。
【産業上の利用可能性】
【００２２】
替刃に触れることなしに安全かつ簡便に替刃をカートリッジに装填できる替刃収納ケースが提供できる。
【図面の簡単な説明】
【００２３】
【図１】本発明にしたがう替刃収納ケースの外観斜視図である。
【図２】替刃をカートリッジに装填する状況を示した図である。
【図３】ケースの側面を断面で示した図である。
【図４】カートリッジをケース本体に差し込んだ状態を示した図である。
【図５】本発明にしたがう替刃収納ケースの他の実施の形態を要部について示した図である。
【図６】本発明にしたがう替刃収納ケースの他の実施の形態を要部について示した図である。
【図７】本発明にしたがう替刃収納ケースの他の実施の形態を要部について示した図である。
【図８】本発明にしたがう替刃収納ケースの他の実施の形態を要部について示した図である。
【図９】本発明にしたがう替刃収納ケースの他の実施の形態を示した図である。
【符号の説明】
【００２４】
１  ケース本体
1a  凹部
２  蓋体
３  ストッパー
3a  傾斜
４  格納室
５  替刃保持用カートリッジ
5a  先端ガイド
６  開口
７  弾性舌片
ｃ  替刃
【図１】
2006288788.tif 000003
【図２】
2006288788.tif 000004
【図３】
2006288788.tif 000005
【図４】
2006288788.tif 000006
【図５】
2006288788.tif 000007
【図６】
2006288788.tif 000008
【図７】
2006288788.tif 000009
【図８】
2006288788.tif 000010
【図９】
2006288788.tif 000011